【事件の表示】
　平成　５年特許願第１５８６７０号「手書き文字認識装置」拒絶査定に対する審判事件［平成　７年　１月１７日出願公開、特開平　７−　１４００８］について、次のとおり審決する。
【結　論】
　本件審判の請求は、成り立たない。
【理　由】
１．手続の経緯・本願発明
　本願は、平成５年６月２９日の出願であって、その請求項１に係る発明（以下「本願発明」という。）は、平成１１年１１月１１日付けの手続補正書により補正された明細書及び図面の記載からみて、その請求項１に記載されたとおりの次のものである。
「【請求項１】　ユーザーが手書き文字を入力するための入力部と、
　文字を構成する基本ストロークを記憶する基本ストローク記憶部と、
　文字の部首を表すサブパターンおよび各サブパターンについての正しいストローク順を固定情報として記憶するサブパターン記憶部と、
　文字および各文字を構成するサブパターンの組合わせまたはサブパターンとストロークとの組合せを記憶する漢字辞書とを備えた手書き文字認識装置において、
　前記サブパターン記憶部に記憶されているサブパターンのうち、ユーザーが選択したサブパターンについて、前記入力部から入力された各ストロークを前記基本ストローク記憶部に記憶されている基本ストロークと順次照合して特定し、その特定したストローク順をユーザー登録情報として記憶する設定ストローク順記憶部と、
　前記入力部から手書き文字が入力されると、その入力された手書き文字を構成する各ストロークを前記基本ストローク記憶部に記憶されている基本ストロークと順次照合して特定し、その特定したストローク順からなるストロークの組合わせを前記サブパターン記憶部の固定情報および前記設定ストローク順記憶部のユーザー登録情報と照合して前記手書き文字に含まれるサブパターンを求め、さらに前記手書き文字に対して前記サブパターンを除いても、前記手書き文字を構成している前記特定されたストロークの残りが存在している場合、その残りのストロークに対しても、その組合わせから前記サブパターン記憶部の固定情報および前記設定ストローク順記憶部のユーザー登録情報と照合して前記手書き文字に含まれるサブパターンを求め、前記求められたサブパターンまたはそのサブパターンの組合わせを前記漢字辞書の情報と照合することで、文字の部首を表すサブパターンを文字認識の最小単位として、入力された手書き文字の文字認識を行う制御部とを備えてなることを特徴とする手書き文字認識装置。」
　
２．引用例
　これに対して、原査定の拒絶の理由に引用された特開昭６２−４２２９０号公報には、「手書き文字を認識できる手書き文字認識装置」に関して、従来、「入力文字のストローク形状・画数・筆順の変動により誤認識文字あるいは認識不能文字が発生していた」ことから、「筆者個有の変動文字を認識でき、構成が簡単な文字認識装置を提供する」ことを目的とし、以下のことが記載されている。
（ア）「筆者が正しい筆順で「右」なる文字をタブレット手書き入力部（１）にて入力した場合、（中略）この時、ストローク認識部（２）では、座標信号の時系列からストローク毎の座標信号列を分離して各ストローク毎に正規化されたストロークデータを得、これを予め多数のストロークデータが格納されているストローク辞書部（６）の各ストロークデータに基づき認識処理して各基本ストロークコードを得る。この場合第２図（ａ）に示す如く第１乃至第５ストローク〔ノ〕、〔ー〕、〔ｌ〕、〔┐〕、〔ー〕に対応した基本ストロークコードが得られる。」（第２頁上右欄第１２行〜同頁下左欄第５行）
（イ）「斯して得られた各基本ストロークコードは文字部分パターン認識部（３）に入力され、該認識部（３）ではこれ等のコード列を組合せ分離し、予め多数の文字部分パターンが夫々基本ストロークコード列の形で表現され格納されている文字部分パターン辞書部（７）の各文字部分パターンに基き文字として成立する可能性のある文字部分パターンの候補群を選定して文字部分パターンコードを得る。この場合第２図（ｂ）に示す如く文字部分パターンＡ［ナ］、及び文字部分パターンＢ［ロ］に対応した文字部分パターンコードが得られる。尚、この文字部分パターン部（７）では頻度の高いストローク形状、筆順、画数等の変動に対して対応できるように文字部分パターン辞書部（７）に変動対応の文字部分パターンを予め格納したり、筆順フリーあるいは画数フリーの処理が施こされる。ただし、頻度の低いものについてはこのような変動対策はない。」（第２頁下左欄第６行〜同頁下右欄第２行）
（ウ）「斯して得られた候補群の夫々についての文字部分パターンコード列は、文字パターン認識部（４）に入力され、該認識部（４）では、予め多数の文字パターンが夫々文字部分パターンコード列の形で表現され格納されている文字パターン辞書部（８）の各文字パターンに基き比較し、上記候補群の中から文字として成立する可能性のある文字パターンを特定して文字パターンコードを表示部（５）に出力する。この場合、第２図（ｃ）に示す如く文字「右」に対応した文字パターンコードが出力され、表示部（５）に「右」が表示される。」（第２頁下右欄第３〜１３行）
（エ）「上述の構成に於いて認識された手書き文字が誤認識であつた時これを修正する必要があり更には筆者個有のストローク形状筆順、画数等の変動に対してこれを吸収できる構成とする事が要求されその為に本発明装置は上述の構成に加えて文字部分パターン変動辞書部（９）、文字部分パターン変動検検部（１０）並びに正規文字入力部（１１）が設けられている。」（第２頁下右欄第１４〜２０行）
（オ）「正規文字入力部（１１）は、誤認識があった場合、１．タブレット（１）への再筆記を要求する。２．各認識部（２），（３），（４）での認識精度をゆるめて複数個の候補文字を表示部（５）にて表示せしめてこの中から筆者に正規入力文字を選択せしめる。３．カナ入力を行ないこれを漢字変換せしめる。（中略）これによつて、（中略）誤認識の文字が正規文字に変更される。」（第３頁上左欄第１〜９行）
（カ）「文字部分パターン変動検出部（１０）は、上記正規文字入力部（１１）から得られる正規文字の正規の文字部分パターンと、誤認識された手書き文字の文字部分パターン認識部（３）での認識結果となつた文字部分パターン辞書部（７）に格納されている文字部分パターンの候補群と、の比較を行ない、誤認識を招いた認識不能な文字部分パターンコードと共に、筆者個有の変動データを検出する。例えば第３図に示す如く、文字「右」を入力しようとしてその正規の第１ストロークと第２ストロークの筆順が入れ代り、第１ストローク〔ー〕、第２ストローク〔ノ〕と誤まつて筆記入力していたなら、この文字部分パターンＡ〔ナ〕が認識不能な文字部分パターンとして検出され、このパターンコードと共に筆者の筆順変動データが得られる。」（第３頁上左欄第１０行〜同頁上右欄第４行）
（キ）「文字部分パターン変動辞書部（９）は、上記文字部分パターン変動検出部（１０）から得られる認識不能な文字部分パターンコードと対応付けてこの文字部分パターンに於ける筆者個有の変動データを格納する。例えば、上述した文字「右」の例では文字部分パターン「ナ〕に対して筆順フリーの変動データがこの辞書部（９）に格納され、文字部分パターン辞書部（７）の文字部分パターン〔ナ〕のコードに対して、この変動データが結合する事となる。
　このように一度筆者の変動データが記憶された後には、第３図の如く誤つた筆順で「右」なる文字をタブレット手書き入力部（１）に入力したとしても、文字部分パターン認識部（３）にて文字部分パターン辞書部（７）に加えて文字部分パターン変動辞書部（９）の変動データをも参照する事となるので、第２図の如く正規の筆順で「右」なる文字を入力した時と同じく、文字部分パターン〔ナ〕の認識が行なえ、結果的に表示部（５）には正しく〔右〕なる文字が表示される事となる。又、この場合、第４図（ｂ）に示す如く、文字部分パターンＡ〔ナ〕を有する文字〔有〕を入力する時、第４図（ａ）に示す如くこの文字部分パターンＡ〔ナ〕の筆順が誤っていても第４図（ｃ）に示す如く、〔有〕なる文字の認識結果を得る事ができる。」（第３頁上右欄第５行〜同頁下左欄第８行）
（ク）「筆者個有の変動データを文字部分パターン単位で求めて、これを記憶しておくものであるから、以後の手書き入力の際の同一変動に対しては誤認識を招く事なく、認識率向上が図れる。しかも筆者個有の変動データの学習機能を一文字単位とはせず、文字部分パターン単位で行つているので、この変動データの記憶の為のメモリ容量は、小さくてすみ、装置の大型化やコストアップを招く事もない。」（第３頁下左欄第１２〜２０行）
　
３．対比
　上記引用例の記載から、引用例には、
「タブレット手書き入力部（１）と、
予め多数のストロークデータが格納されているストローク辞書部（６）と、
予め多数の文字部分パターンが夫々基本ストロークコード列の形で表現され格納されている文字部分パターン辞書部（７）と、
予め多数の文字パターンが夫々文字部分パターンコード列の形で表現され格納されている文字パターン辞書部（８）とを備えた手書き文字認識装置において、
　文字部分パターン変動検出部（１０）から得られる認識不能な文字部分パターンコードと対応付けてこの文字部分パターンに於ける筆者個有の変動データを格納する文字部分パターン変動辞書部（９）を備え、
　筆者が文字をタブレット手書き入力部（１）にて入力すると、ストローク認識部（２）では、座標信号の時系列からストローク毎の座標信号列を分離して各ストローク毎に正規化されたストロークデータを得、これを予め多数のストロークデータが格納されているストローク辞書部（６）の各ストロークデータに基づき認識処理して各基本ストロークコードを得、斯して得られた各基本ストロークコードは文字部分パターン認識部（３）に入力され、該認識部（３）ではこれ等のコード列を組合せ分離し、予め多数の文字部分パターンが夫々基本ストロークコード列の形で表現され格納されている文字部分パターン辞書部（７）に加えて文字部分パターン変動辞書部（９）の変動データをも参照して、各文字部分パターンに基き文字として成立する可能性のある文字部分パターンの候補群を選定して文字部分パターンコードを得、斯して得られた候補群の夫々についての文字部分パターンコード列は文字パターン認識部（４）に入力され、該認識部（４）では、予め多数の文字パターンが夫々文字部分パターンコード列の形で表現され格納されている文字パターン辞書部（８）の各文字パターンに基き比較し、上記候補群の中から文字として成立する可能性のある文字パターンを特定して文字パターンコードを表示部（５）に出力する、
手書き文字認識装置」の発明が記載されていると認める。
　
　ここで、上記（ア）のとおり、引用例に記載された発明の「タブレット手書き入力部（１）」はユーザーが手書き文字を入力するためのものであり、「ストローク辞書部（６）」は予め多数のストロークデータが格納されており、各ストロークデータに基づき認識処理して各基本ストロークコードを得るものであるから、それぞれ本願発明の「入力部」、「基本ストローク記憶部」に相当するものである。
　引用例に記載された発明の「文字部分パターン」は、上記（イ）のとおり、各基本ストロークコードのコード列を組合せ分離したものであるから、本願発明の「文字の部首を表すサブパターン」と差異がない。そして、「文字部分パターン辞書部（７）」は、「予め多数の文字部分パターンが夫々基本ストロークコード列の形で表現され格納されて」おり、「文字部分パターン辞書部（７）の各文字部分パターンに基き文字として成立する可能性のある文字部分パターンの候補群を選定して文字部分パターンコードを得る」ものであり、しかも上記（カ）のとおり、正しい筆順でないと認識不能となるものであるから、正しいストローク順を固定情報と記憶していることは明らかであり、本願発明の「サブパターン記憶部」に相当するものである。
　引用例に記載された発明の「文字パターン辞書部（８）」は、上記（ウ）のとおり、予め多数の文字パターンが夫々文字部分パターンコード列の形で表現され格納されており、文字として成立する可能性のある文字パターンを特定して文字パターンコードを出力するものであるから、本願発明の「漢字辞書」に相当するものである。
　引用例に記載された発明の「文字部分パターン変動辞書部（９）」は、上記（エ）〜（キ）のとおり、「上記文字部分パターン変動検出部（１０）から得られる認識不能な文字部分パターンコードと対応付けてこの文字部分パターンに於ける筆者個有の変動データを格納する。」ものであり、「例えば、上述した文字「右」の例では文字部分パターン「ナ〕に対して筆順フリーの変動データがこの辞書部（９）に格納され、文字部分パターン辞書部（７）の文字部分パターン〔ナ〕のコードに対して、この変動データが結合する事となる」ものである。すなわち、「文字部分パターン変動辞書部（９）」は、文字部分パターン記憶部に記憶されている文字部分パターンについて、誤認識に基づき正規文字の入力を行ったものについてのみ、筆者の入力した筆順が筆者個有の変動データとして格納されるものであるから、本願発明の「設定ストローク順記憶部」に相当する。
　そして、上記（ア）〜（ウ）、（キ）のとおり、引用例に記載された発明の手書き文字認識装置は、タブレット手書き入力部から手書き文字が入力されると、ストローク毎にストローク辞書部に基づき認識処理して基本ストロークコードを得、文字部分パターン辞書部及び文字部分パターン変動辞書部を参照して、文字として成立する可能性のある文字部分パターンの候補群を選定し、文字パターン認識部は当該候補群（選定された文字部分パターン及びその組合せ）と文字パターン辞書の情報を照合することで文字として成立する可能性のある文字パターンを特定するものであり、文字部分パターンを文字認識の最小単位として入力された手書き文字の認識を行っていることは明らかである。そして、特に明記はされていないが、引用例に記載された発明においても、当該認識動作をなすために、各部を動作なさしめる「制御部」を備えることは、当業者にとって自明である。
　なお、（キ）、（ク）の記載から見て、文字部分パターン辞書及び文字部分パターン変動辞書は、文字部分パターンが含まれる文字単位（例えば、「右」、「有」それぞれ）ではなく、文字の部首の文字部分パターンそのもの（例えば、文字部分パターンＡ〔ナ〕）について正しい筆順及び筆者個有の筆順が辞書化されていることは明らかであるから、一つの文字に同一の部首が存在する場合、各部首について同一の文字部分パターン辞書の情報が適用されることは当業者に容易に推察されることである。すなわち、例えば、「林」という手書き文字が入力され、偏の「木」と旁の「木」の両方に同じ変動があった場合、「木」という文字部分パターンに変動データを登録すれば事足りることは当業者に明らかである。
　
　以上のことから、本願発明と引用例に記載された発明とを比較すると、両者は
「　ユーザーが手書き文字を入力するための入力部と、文字を構成する基本ストロークを記憶する基本ストローク記憶部と、文字の部首を表すサブパターンおよび各サブパターンについての正しいストローク順を固定情報として記憶するサブパターン記憶部と、文字および各文字を構成するサブパターンの組合わせまたはサブパターンとストロークとの組合せを記憶する漢字辞書とを備えた手書き文字認識装置において、前記サブパターン記憶部に記憶されているサブパターンのうち、ユーザーが選択したサブパターンについて、前記入力部から入力された各ストロークを前記基本ストローク記憶部に記憶されている基本ストロークと順次照合して特定し、その特定したストローク順をユーザー登録情報として記憶する設定ストローク順記憶部と、前記入力部から手書き文字が入力されると、その入力された手書き文字を構成する各ストロークを前記基本ストローク記憶部に記憶されている基本ストロークと順次照合して特定し、その特定したストローク順からなるストロークの組合わせを前記サブパターン記憶部の固定情報および前記設定ストローク順記憶部のユーザー登録情報と照合して前記手書き文字に含まれるサブパターンを求め、前記求められたサブパターンまたはそのサブパターンの組合わせを前記漢字辞書の情報と照合することで、文字の部首を表すサブパターンを文字認識の最小単位として、入力された手書き文字の文字認識を行う制御部とを備えてなることを特徴とする手書き文字認識装置。」
の点で一致し、
　本願発明の制御部が、「さらに前記手書き文字に対して前記サブパターンを除いても、前記手書き文字を構成している前記特定されたストロークの残りが存在している場合、その残りのストロークに対しても、その組合わせから前記サブパターン記憶部の固定情報および前記設定ストローク順記憶部のユーザー登録情報と照合して前記手書き文字に含まれるサブパターンを求め」るものであるのに対し、引用例に記載された発明にはこの様な場合分けの手順が明記されていない点
で相違している。
　
４．当審の判断
　上記相違点について検討する。
　引用例に記載された発明は、上記（イ）のとおり、手書き入力文字について、多数の文字部分パターンから、文字として成立する可能性のある複数の文字部分パターンの組合せを候補として選定するものであるから、結局、一つの文字部分パターンで完結しない場合は、複数の文字部分パターンの候補群を選定するものである。してみると、一般に手書き文字は複数の部首から構成されることに鑑みれば、手順としての場合分けには技術的に何等格別な意味は見出せず、当業者が設計上の適宜採用し得る事項に過ぎないものである。
　
５．むすび
　したがって、本願発明は、引用例に記載された発明に基いて当業者が容易に発明をすることができたものであるので、特許法第２９条第２項の規定により特許を受けることができない。
　よって、結論のとおり審決する。